(57)【要約】【課題】医療分野における利用者のデータ入力や更新や効率性を向上することができる電子化カルテ管理装置および電子化カルテ管理方法を提供することを課題とする。【解決手段】本発明は、画像読取部にて紙カルテを読み取って作成されたカルテ画像情報を、紙カルテを特定する分類コードに対応付けて電子化カルテとして記憶部に格納し、既に格納された電子化カルテに対応する紙カルテに対してページが追加された場合、追加のカルテ画像情報を作成し、当該カルテ画像情報に対応する分類コードを付加し、当該付加された分類コードに従って、追加の当該カルテ画像情報を、格納された電子化カルテに挿入し、挿入された電子化カルテに対応する紙カルテの保管場所コードを記憶部より検索して抽出して出力部に出力する。【選択図】        図２
2010061521.tif 000002
【特許請求の範囲】
【請求項１】
画像読取部と記憶部と制御部と出力部とを少なくとも備えた電子化カルテ管理装置であって、
上記制御部は、
上記画像読取部を制御して少なくとも１つのページから構成される紙カルテを読み取ることにより、カルテ画像情報を作成する紙カルテ読取手段と、
上記紙カルテ読取手段にて作成された上記カルテ画像情報を、上記紙カルテの保管場所を特定する保管場所コード、上記紙カルテの種類を特定する文書コード、および、上記紙カルテの何ページ目であるかを示すページ数コードを少なくとも含む分類コードに対応付けて電子化カルテとして上記記憶部に格納する電子化カルテ格納手段と、
上記電子化カルテ格納手段にて既に格納された上記電子化カルテに対応する上記紙カルテに対してページが追加された場合、上記紙カルテ読取手段にて追加の上記カルテ画像情報を作成し、当該カルテ画像情報に対応する上記分類コードを付加し、当該付加された上記分類コードに従って、上記追加の当該カルテ画像情報を、上記電子化カルテ格納手段にて格納された上記電子化カルテに挿入する電子化カルテ挿入手段と、
上記電子化カルテ挿入手段にて挿入された上記電子化カルテに対応する上記紙カルテの上記保管場所コードを上記記憶部より検索して抽出し、上記出力部に出力する紙カルテ検索手段と、
を備えたことを特徴とする、電子化カルテ管理装置。
【請求項２】
請求項１に記載の電子化カルテ管理装置において、
上記電子化カルテ挿入手段は、
上記追加の上記電子化カルテの上記文書コードが、既に上記記憶部に格納された上記電子化カルテの上記文書コードと同一である場合、上記記憶部に格納された当該電子化カルテの上記ページ数コードのページ数を上記追加の上記電子化カルテのページ数分だけ増加させた後、上記追加の上記電子化カルテを上記同一の当該文書コードに対応付けられた上記電子化カルテに挿入することを特徴とする、電子化カルテ管理装置。
【請求項３】
請求項１または２に記載の電子化カルテ管理装置において、
上記分類コードは、
病院コード、患者コード、カルテコード、時刻コード、疾病コード、投薬コード、術式コード、貸出コード、および、公開コードのうち少なくとも１つを更に含むことを特徴とする、電子化カルテ管理装置。
【請求項４】
請求項３に記載の電子化カルテ管理装置において、
上記電子化カルテ管理装置は、入力部を更に備え、
上記制御部は、
利用者により上記入力部を介して入力された上記分類コードに基づいて、上記記憶部に格納された上記電子化カルテを検索し、検索された当該電子化カルテを上記出力部に出力する電子化カルテ出力手段と、
上記電子化カルテ出力手段にて出力された上記電子化カルテに対応する上記紙カルテの貸出を希望する上記利用者により、上記入力部を介して入力された、貸出開始日時を示す貸出開始日時コードおよび上記貸出を希望する上記利用者を示す貸出希望者コードを用いて、当該電子化カルテの上記貸出コードと照合することにより、当該紙カルテの貸出状況を確認する貸出状況確認手段と、
上記貸出状況確認手段にて上記紙カルテが貸出中であることが確認された場合、上記貸出コードから、当該紙カルテの貸出終了日時を示す貸出終了日時コードおよび貸出中の上記利用者を示す上記貸出希望者コードのうち少なくとも１つを抽出し、上記出力部に出力する貸出状況出力手段と、
を更に備え、
上記紙カルテ検索手段は、
上記貸出状況確認手段にて上記紙カルテが貸出可能であることが確認された場合、当該紙カルテに対応する上記電子化カルテの上記保管場所コードを上記記憶部より検索して抽出し、上記出力部に出力することを特徴とする、電子化カルテ管理装置。
【請求項５】
請求項４に記載の電子化カルテ管理装置において、
上記電子化カルテ管理装置は、印刷部を更に備え、
上記制御部は、
上記分類コードを光学式に読み取り可能なコード画像情報に変換するコード画像情報変換手段と、
上記コード画像情報変換手段にて変換された上記コード画像情報を、上記紙カルテ読取手段にて作成された上記カルテ画像情報上に表示したコード画像情報付きカルテ画像情報を生成し、上記印刷部を制御して当該コード画像情報付きカルテ画像情報を印刷するカルテ画像情報印刷手段と、
を更に備え、
上記電子化カルテ格納手段は、
上記カルテ画像情報印刷手段にて生成された上記コード画像情報付きカルテ画像情報を上記分類コードに対応付けて上記電子化カルテとして上記記憶部に格納し、
上記紙カルテ検索手段は、
上記貸出状況確認手段にて上記紙カルテが貸出可能であることが確認された場合、当該紙カルテに対応する上記電子化カルテの上記保管場所コードの上記コード画像情報を上記記憶部より検索して抽出し、上記出力部に出力することを特徴とする、電子化カルテ管理装置。
【請求項６】
請求項５に記載の電子化カルテ管理装置において、
上記制御部は、
上記記憶部より上記公開コードを検索して抽出し、当該公開コードが上記電子化カルテの公開を許可する公開許可コードを含む場合、上記電子化カルテ出力手段にて当該公開許可コードを上記電子化カルテ上に表示した状態で上記出力部に出力した後、上記印刷部による当該電子化カルテの印刷、および、当該電子化カルテの電子媒体へのコピーを許可するコピー許可手段と、
上記記憶部より上記公開コードを検索して抽出し、当該公開コードが上記電子化カルテの公開を禁止する公開禁止コードを含む場合、上記電子化カルテ出力手段にて当該公開禁止コードを上記電子化カルテ上に表示した状態で上記出力部に出力した後、上記印刷部による当該電子化カルテの印刷、および、当該電子化カルテの電子媒体へのコピーを禁止するコピー禁止手段と、
を更に備えたことを特徴とする、電子化カルテ管理装置。
【請求項７】
請求項６に記載の電子化カルテ管理装置において、
上記電子化カルテ出力手段は、
個人を特定できる個人情報が記載された部分を塗り潰した状態または当該個人情報を非表示にした状態で、上記電子化カルテを上記出力部に出力することにより、上記個人情報を非公開とすることを特徴とする、電子化カルテ管理装置。
【請求項８】
請求項６または７に記載の電子化カルテ管理装置において、
上記保管場所コードは、上記電子化カルテの保管期間を示す保管期間コードを更に含み、
上記制御部は、
上記保管期間コードに基づいて上記電子化カルテの上記保管期間が経過したか否かを判定する保管期間判定手段と、
上記保管期間判定手段にて上記保管期間が経過していないと判定された場合、上記電子化カルテを削除できない旨を通知する削除不可通知を上記出力部に出力する削除不可通知出力手段と、
上記保管期間判定手段にて上記保管期間が経過したと判定された場合、上記電子化カルテを上記電子媒体へコピー後、当該電子化カルテを上記記憶部から削除する電子化カルテ削除手段と、
を更に備え、
上記電子化カルテ出力手段は、
上記電子化カルテ削除手段にてコピー後の上記電子媒体から上記電子化カルテを読み込むことにより、当該電子化カルテを上記出力部に出力することを特徴とする、電子化カルテ管理装置。
【請求項９】
請求項４〜８のうちいずれか１つに記載の電子化カルテ管理装置において、
上記制御部は、
上記電子化カルテに対して、上記紙カルテの作成者を特定する署名情報、および、当該電子化カルテに対する処理時刻を示す処理時刻情報のうち少なくとも１つを取得し、上記分類コードに追加して上記記憶部に格納する電子署名格納手段
を更に備え、
上記電子化カルテ出力手段は、
上記電子化カルテ上に、上記電子署名格納手段にて追加された、対応する上記署名情報および上記処理時刻情報のうち少なくとも１つを上記出力部に出力することを特徴とする、電子化カルテ管理装置。
【請求項１０】
画像読取部と記憶部と制御部と出力部とを少なくとも備えた電子化カルテ管理装置において実行される電子化カルテ管理方法であって、
上記制御部において実行される、
上記画像読取部を制御して少なくとも１つのページから構成される紙カルテを読み取ることにより、カルテ画像情報を作成する紙カルテ読取ステップと、
上記紙カルテ読取ステップにて作成された上記カルテ画像情報を、上記紙カルテの保管場所を特定する保管場所コード、上記紙カルテの種類を特定する文書コード、および、上記紙カルテの何ページ目であるかを示すページ数コードを少なくとも含む分類コードに対応付けて電子化カルテとして上記記憶部に格納する電子化カルテ格納ステップと、
上記電子化カルテ格納ステップにて既に格納された上記電子化カルテに対応する上記紙カルテに対してページが追加された場合、上記紙カルテ読取ステップにて追加の上記カルテ画像情報を作成し、当該カルテ画像情報に対応する上記分類コードを付加し、当該付加された上記分類コードに従って、上記追加の当該カルテ画像情報を、上記電子化カルテ格納ステップにて格納された上記電子化カルテに挿入する電子化カルテ挿入ステップと、
上記電子化カルテ挿入ステップにて挿入された上記電子化カルテに対応する上記紙カルテの上記保管場所コードを上記記憶部より検索して抽出し、上記出力部に出力する紙カルテ検索ステップと、
を含むことを特徴とする、電子化カルテ管理方法。
【請求項１１】
請求項１０に記載の電子化カルテ管理方法において、
上記電子化カルテ挿入ステップにおいて、
上記追加の上記電子化カルテの上記文書コードが、既に上記記憶部に格納された上記電子化カルテの上記文書コードと同一である場合、上記記憶部に格納された当該電子化カルテの上記ページ数コードのページ数を上記追加の上記電子化カルテのページ数分だけ増加させた後、上記追加の上記電子化カルテを上記同一の当該文書コードに対応付けられた上記電子化カルテに挿入することを特徴とする、電子化カルテ管理方法。
【請求項１２】
請求項１０または１１に記載の電子化カルテ管理方法において、
上記分類コードは、
病院コード、患者コード、カルテコード、時刻コード、疾病コード、投薬コード、術式コード、貸出コード、および、公開コードのうち少なくとも１つを更に含むことを特徴とする、電子化カルテ管理方法。
【請求項１３】
請求項１２に記載の電子化カルテ管理方法において、
上記電子化カルテ管理装置は、入力部を更に備えており、
上記制御部において実行される、
利用者により上記入力部を介して入力された上記分類コードに基づいて、上記記憶部に格納された上記電子化カルテを検索し、検索された当該電子化カルテを上記出力部に出力する電子化カルテ出力ステップと、
上記電子化カルテ出力ステップにて出力された上記電子化カルテに対応する上記紙カルテの貸出を希望する上記利用者により、上記入力部を介して入力された、貸出開始日時を示す貸出開始日時コードおよび上記貸出を希望する上記利用者を示す貸出希望者コードを用いて、当該電子化カルテの上記貸出コードと照合することにより、当該紙カルテの貸出状況を確認する貸出状況確認ステップと、
上記貸出状況確認ステップにて上記紙カルテが貸出中であることが確認された場合、上記貸出コードから、当該紙カルテの貸出終了日時を示す貸出終了日時コードおよび貸出中の上記利用者を示す上記貸出希望者コードのうち少なくとも１つを抽出し、上記出力部に出力する貸出状況出力ステップと、
を更に含み、
上記紙カルテ検索ステップにおいて、
上記貸出状況確認ステップにて上記紙カルテが貸出可能であることが確認された場合、当該紙カルテに対応する上記電子化カルテの上記保管場所コードを上記記憶部より検索して抽出し、上記出力部に出力することを特徴とする、電子化カルテ管理方法。
【請求項１４】
請求項１３に記載の電子化カルテ管理方法において、
上記電子化カルテ管理装置は、印刷部を更に備えており、
上記制御部において実行される、
上記分類コードを光学式に読み取り可能なコード画像情報に変換するコード画像情報変換ステップと、
上記コード画像情報変換ステップにて変換された上記コード画像情報を、上記紙カルテ読取ステップにて作成された上記カルテ画像情報上に表示したコード画像情報付きカルテ画像情報を生成し、上記印刷部を制御して当該コード画像情報付きカルテ画像情報を印刷するカルテ画像情報印刷ステップと、
を更に含み、
上記電子化カルテ格納ステップにおいて、
上記カルテ画像情報印刷ステップにて生成された上記コード画像情報付きカルテ画像情報を上記分類コードに対応付けて上記電子化カルテとして上記記憶部に格納し、
上記紙カルテ検索ステップにおいて、
上記貸出状況確認ステップにて上記紙カルテが貸出可能であることが確認された場合、当該紙カルテに対応する上記電子化カルテの上記保管場所コードの上記コード画像情報を上記記憶部より検索して抽出し、上記出力部に出力することを特徴とする、電子化カルテ管理方法。
【請求項１５】
請求項１４に記載の電子化カルテ管理方法において、
上記制御部において実行される、
上記記憶部より上記公開コードを検索して抽出し、当該公開コードが上記電子化カルテの公開を許可する公開許可コードを含む場合、上記電子化カルテ出力ステップにて当該公開許可コードを上記電子化カルテ上に表示した状態で上記出力部に出力した後、上記印刷部による当該電子化カルテの印刷、および、当該電子化カルテの電子媒体へのコピーを許可するコピー許可ステップと、
上記記憶部より上記公開コードを検索して抽出し、当該公開コードが上記電子化カルテの公開を禁止する公開禁止コードを含む場合、上記電子化カルテ出力ステップにて当該公開禁止コードを上記電子化カルテ上に表示した状態で上記出力部に出力した後、上記印刷部による当該電子化カルテの印刷、および、当該電子化カルテの電子媒体へのコピーを禁止するコピー禁止ステップと、
を更に含むことを特徴とする、電子化カルテ管理方法。
【請求項１６】
請求項１５に記載の電子化カルテ管理方法において、
上記電子化カルテ出力ステップにおいて、
個人を特定できる個人情報が記載された部分を塗り潰した状態または当該個人情報を非表示にした状態で、上記電子化カルテを上記出力部に出力することにより、上記個人情報を非公開とすることを特徴とする、電子化カルテ管理方法。
【請求項１７】
請求項１５または１６に記載の電子化カルテ管理方法において、
上記保管場所コードは、上記電子化カルテの保管期間を示す保管期間コードを更に含み、
上記制御部において実行される、
上記保管期間コードに基づいて上記電子化カルテの上記保管期間が経過したか否かを判定する保管期間判定ステップと、
上記保管期間判定ステップにて上記保管期間が経過していないと判定された場合、上記電子化カルテを削除できない旨を通知する削除不可通知を上記出力部に出力する削除不可通知出力ステップと、
上記保管期間判定ステップにて上記保管期間が経過したと判定された場合、上記電子化カルテを上記電子媒体へコピー後、当該電子化カルテを上記記憶部から削除する電子化カルテ削除ステップと、
を更に含み、
上記電子化カルテ出力ステップにおいて、
上記電子化カルテ削除ステップにてコピー後の上記電子媒体から上記電子化カルテを読み込むことにより、当該電子化カルテを上記出力部に出力することを特徴とする、電子化カルテ管理方法。
【請求項１８】
請求項１３〜１７のうちいずれか１つに記載の電子化カルテ管理方法において、
上記制御部において実行される、
上記電子化カルテに対して、上記紙カルテの作成者を特定する署名情報、および、当該電子化カルテに対する処理時刻を示す処理時刻情報のうち少なくとも１つを取得し、上記分類コードに追加して上記記憶部に格納する電子署名格納ステップ
を更に含み、
上記電子化カルテ出力ステップにおいて、
上記電子化カルテ上に、上記電子署名格納ステップにて追加された、対応する上記署名情報および上記処理時刻情報のうち少なくとも１つを上記出力部に出力することを特徴とする、電子化カルテ管理方法。
【発明の詳細な説明】
【技術分野】
【０００１】
本発明は、電子化カルテ管理装置および電子化カルテ管理方法に関し、特に、紙カルテから電子化（画像化）された電子化カルテ、および、電子化する際に用いた紙カルテ等を管理する電子化カルテ管理装置および電子化カルテ管理方法に関する。
【背景技術】
【０００２】
従来、電子化カルテ（紙カルテをスキャナ等で読み取って画像化した電子データ）を管理する場合、通常、紙カルテが電子化された順番（読み取り順）にて電子化カルテに対して時系列ＩＤを割り当てた上でサーバや記録媒体等に電子化カルテを保存しており、検索の際には、保存に際に割り当てた時系列ＩＤに基づいて所望の電子化カルテを検索していた。
【０００３】
また近年、医療分野では、ＩＣＤコード（国際疾病分類）等の医療分野の分類コードが標準化されており、この分類コードに基づいて紙カルテ等の医療文書を管理することが義務付けられている。さらに、患者の治療後や退院後などに、医者等の医療担当者により患者の検査データ等を紙カルテに追加することが頻繁に生じるが、この場合も、上述の医療分野の分類コードに従って管理することが求められている。
【０００４】
ここで、紙カルテを電子化する技術の一例を以下に示す。
【０００５】
例えば、特許文献１に記載の医療用カルテ管理方法は、紙カルテの情報をコード情報または画像情報として電子化（読取り）後、情報の改ざんや消失を防止するため、紙カルテの情報と電子化カルテの情報とを照合している。
【０００６】
【特許文献１】特開平７−５６９８９号公報
【発明の開示】
【発明が解決しようとする課題】
【０００７】
しかしながら、従来技術（特許文献１等）においては、上述の医療分野の分類コードを考慮して管理していないという問題点を有していた。また、当該分類コードを紙カルテに記入して保管した場合であっても、所望の紙カルテを検索する際には、その分類コードに熟知した専門の担当者が検索する必要があり、担当者の熟練度合いによって検索効率が大きく左右されてしまうという問題点を有していた。
【０００８】
また、従来技術においては、紙カルテを電子化した順番（読み取り順）にて電子化カルテに時系列ＩＤを付与しているため、所望の電子化カルテを検索する際には、この時系列ＩＤに基づいて電子化カルテを検索することとなり、特に、電子化カルテが多くなるにつれ、時系列ＩＤに基づく検索では多大な時間がかかってしまい、検索効率の点において実用的でなくなるという問題点を有していた。
【０００９】
また、従来技術においては、紙カルテに検査データ等を追加する場合、専門の担当者が、複数の紙カルテ等を束ねた冊子を解き一枚一枚ばらした上で、上述の医療分野の分類コードの順番に従って、新たに追加する検査データ等を適切な位置へ挿入した後、また束ね直して冊子に戻すという複雑な作業を急いで行うことになり、この作業を行う専門の担当者にかかる人件費等が膨大になってしまうという問題点を有していた。
【００１０】
本発明は、上記問題点に鑑みてなされたもので、医療分野における利用者のデータ入力や更新や効率性を向上することができる電子化カルテ管理装置および電子化カルテ管理方法を提供することを目的とする。
【課題を解決するための手段】
【００１１】
このような目的を達成するため、本発明の電子化カルテ管理装置は、画像読取部と記憶部と制御部と出力部とを少なくとも備えた電子化カルテ管理装置であって、上記制御部は、上記画像読取部を制御して少なくとも１つのページから構成される紙カルテを読み取ることにより、カルテ画像情報を作成する紙カルテ読取手段と、上記紙カルテ読取手段にて作成された上記カルテ画像情報を、上記紙カルテの保管場所を特定する保管場所コード、上記紙カルテの種類を特定する文書コード、および、上記紙カルテの何ページ目であるかを示すページ数コードを少なくとも含む分類コードに対応付けて電子化カルテとして上記記憶部に格納する電子化カルテ格納手段と、上記電子化カルテ格納手段にて既に格納された上記電子化カルテに対応する上記紙カルテに対してページが追加された場合、上記紙カルテ読取手段にて追加の上記カルテ画像情報を作成し、当該カルテ画像情報に対応する上記分類コードを付加し、当該付加された上記分類コードに従って、上記追加の当該カルテ画像情報を、上記電子化カルテ格納手段にて格納された上記電子化カルテに挿入する電子化カルテ挿入手段と、上記電子化カルテ挿入手段にて挿入された上記電子化カルテに対応する上記紙カルテの上記保管場所コードを上記記憶部より検索して抽出し、上記出力部に出力する紙カルテ検索手段と、を備えたことを特徴とする。
【００１２】
また、本発明の電子化カルテ管理装置は、上記記載の電子化カルテ管理装置において、上記電子化カルテ挿入手段は、上記追加の上記電子化カルテの上記文書コードが、既に上記記憶部に格納された上記電子化カルテの上記文書コードと同一である場合、上記記憶部に格納された当該電子化カルテの上記ページ数コードのページ数を上記追加の上記電子化カルテのページ数分だけ増加させた後、上記追加の上記電子化カルテを上記同一の当該文書コードに対応付けられた上記電子化カルテに挿入することを特徴とする。
【００１３】
また、本発明の電子化カルテ管理装置は、上記記載の電子化カルテ管理装置において、上記分類コードは、病院コード、患者コード、カルテコード、時刻コード、疾病コード、投薬コード、術式コード、貸出コード、および、公開コードのうち少なくとも１つを更に含むことを特徴とする。
【００１４】
また、本発明の電子化カルテ管理装置は、上記記載の電子化カルテ管理装置において、上記電子化カルテ管理装置は、入力部を更に備え、上記制御部は、利用者により上記入力部を介して入力された上記分類コードに基づいて、上記記憶部に格納された上記電子化カルテを検索し、検索された当該電子化カルテを上記出力部に出力する電子化カルテ出力手段と、上記電子化カルテ出力手段にて出力された上記電子化カルテに対応する上記紙カルテの貸出を希望する上記利用者により、上記入力部を介して入力された、貸出開始日時を示す貸出開始日時コードおよび上記貸出を希望する上記利用者を示す貸出希望者コードを用いて、当該電子化カルテの上記貸出コードと照合することにより、当該紙カルテの貸出状況を確認する貸出状況確認手段と、上記貸出状況確認手段にて上記紙カルテが貸出中であることが確認された場合、上記貸出コードから、当該紙カルテの貸出終了日時を示す貸出終了日時コードおよび貸出中の上記利用者を示す上記貸出希望者コードのうち少なくとも１つを抽出し、上記出力部に出力する貸出状況出力手段と、を更に備え、上記紙カルテ検索手段は、上記貸出状況確認手段にて上記紙カルテが貸出可能であることが確認された場合、当該紙カルテに対応する上記電子化カルテの上記保管場所コードを上記記憶部より検索して抽出し、上記出力部に出力することを特徴とする。
【００１５】
また、本発明の電子化カルテ管理装置は、上記記載の電子化カルテ管理装置において、上記電子化カルテ管理装置は、印刷部を更に備え、上記制御部は、上記分類コードを光学式に読み取り可能なコード画像情報に変換するコード画像情報変換手段と、上記コード画像情報変換手段にて変換された上記コード画像情報を、上記紙カルテ読取手段にて作成された上記カルテ画像情報上に表示したコード画像情報付きカルテ画像情報を生成し、上記印刷部を制御して当該コード画像情報付きカルテ画像情報を印刷するカルテ画像情報印刷手段と、を更に備え、上記電子化カルテ格納手段は、上記カルテ画像情報印刷手段にて生成された上記コード画像情報付きカルテ画像情報を上記分類コードに対応付けて上記電子化カルテとして上記記憶部に格納し、上記紙カルテ検索手段は、上記貸出状況確認手段にて上記紙カルテが貸出可能であることが確認された場合、当該紙カルテに対応する上記電子化カルテの上記保管場所コードの上記コード画像情報を上記記憶部より検索して抽出し、上記出力部に出力することを特徴とする。
【００１６】
また、本発明の電子化カルテ管理装置は、上記記載の電子化カルテ管理装置において、上記制御部は、上記記憶部より上記公開コードを検索して抽出し、当該公開コードが上記電子化カルテの公開を許可する公開許可コードを含む場合、上記電子化カルテ出力手段にて当該公開許可コードを上記電子化カルテ上に表示した状態で上記出力部に出力した後、上記印刷部による当該電子化カルテの印刷、および、当該電子化カルテの電子媒体へのコピーを許可するコピー許可手段と、上記記憶部より上記公開コードを検索して抽出し、当該公開コードが上記電子化カルテの公開を禁止する公開禁止コードを含む場合、上記電子化カルテ出力手段にて当該公開禁止コードを上記電子化カルテ上に表示した状態で上記出力部に出力した後、上記印刷部による当該電子化カルテの印刷、および、当該電子化カルテの電子媒体へのコピーを禁止するコピー禁止手段と、を更に備えたことを特徴とする。
【００１７】
また、本発明の電子化カルテ管理装置は、上記記載の電子化カルテ管理装置において、上記電子化カルテ出力手段は、個人を特定できる個人情報が記載された部分を塗り潰した状態または当該個人情報を非表示にした状態で、上記電子化カルテを上記出力部に出力することにより、上記個人情報を非公開とすることを特徴とする。
【００１８】
また、本発明の電子化カルテ管理装置は、上記記載の電子化カルテ管理装置において、上記保管場所コードは、上記電子化カルテの保管期間を示す保管期間コードを更に含み、上記制御部は、上記保管期間コードに基づいて上記電子化カルテの上記保管期間が経過したか否かを判定する保管期間判定手段と、上記保管期間判定手段にて上記保管期間が経過していないと判定された場合、上記電子化カルテを削除できない旨を通知する削除不可通知を上記出力部に出力する削除不可通知出力手段と、上記保管期間判定手段にて上記保管期間が経過したと判定された場合、上記電子化カルテを上記電子媒体へコピー後、当該電子化カルテを上記記憶部から削除する電子化カルテ削除手段と、を更に備え、上記電子化カルテ出力手段は、上記電子化カルテ削除手段にてコピー後の上記電子媒体から上記電子化カルテを読み込むことにより、当該電子化カルテを上記出力部に出力することを特徴とする。
【００１９】
また、本発明の電子化カルテ管理装置は、上記記載の電子化カルテ管理装置において、上記制御部は、上記電子化カルテに対して、上記紙カルテの作成者を特定する署名情報、および、当該電子化カルテに対する処理時刻を示す処理時刻情報のうち少なくとも１つを取得し、上記分類コードに追加して上記記憶部に格納する電子署名格納手段を更に備え、上記電子化カルテ出力手段は、上記電子化カルテ上に、上記電子署名格納手段にて追加された、対応する上記署名情報および上記処理時刻情報のうち少なくとも１つを上記出力部に出力することを特徴とする。
【００２０】
また、本発明の電子化カルテ管理方法は、画像読取部と記憶部と制御部と出力部とを少なくとも備えた電子化カルテ管理装置において実行される電子化カルテ管理方法であって、上記制御部において実行される、上記画像読取部を制御して少なくとも１つのページから構成される紙カルテを読み取ることにより、カルテ画像情報を作成する紙カルテ読取ステップと、上記紙カルテ読取ステップにて作成された上記カルテ画像情報を、上記紙カルテの保管場所を特定する保管場所コード、上記紙カルテの種類を特定する文書コード、および、上記紙カルテの何ページ目であるかを示すページ数コードを少なくとも含む分類コードに対応付けて電子化カルテとして上記記憶部に格納する電子化カルテ格納ステップと、上記電子化カルテ格納ステップにて既に格納された上記電子化カルテに対応する上記紙カルテに対してページが追加された場合、上記紙カルテ読取ステップにて追加の上記カルテ画像情報を作成し、当該カルテ画像情報に対応する上記分類コードを付加し、当該付加された上記分類コードに従って、上記追加の当該カルテ画像情報を、上記電子化カルテ格納ステップにて格納された上記電子化カルテに挿入する電子化カルテ挿入ステップと、上記電子化カルテ挿入ステップにて挿入された上記電子化カルテに対応する上記紙カルテの上記保管場所コードを上記記憶部より検索して抽出し、上記出力部に出力する紙カルテ検索ステップと、を含むことを特徴とする。
【００２１】
また、本発明の電子化カルテ管理方法は、上記記載の電子化カルテ管理方法において、上記電子化カルテ挿入ステップにおいて、上記追加の上記電子化カルテの上記文書コードが、既に上記記憶部に格納された上記電子化カルテの上記文書コードと同一である場合、上記記憶部に格納された当該電子化カルテの上記ページ数コードのページ数を上記追加の上記電子化カルテのページ数分だけ増加させた後、上記追加の上記電子化カルテを上記同一の当該文書コードに対応付けられた上記電子化カルテに挿入することを特徴とする。
【００２２】
また、本発明の電子化カルテ管理方法は、上記記載の電子化カルテ管理方法において、上記分類コードは、病院コード、患者コード、カルテコード、時刻コード、疾病コード、投薬コード、術式コード、貸出コード、および、公開コードのうち少なくとも１つを更に含むことを特徴とする。
【００２３】
また、本発明の電子化カルテ管理方法は、上記記載の電子化カルテ管理方法において、上記電子化カルテ管理装置は、入力部を更に備えており、上記制御部において実行される、利用者により上記入力部を介して入力された上記分類コードに基づいて、上記記憶部に格納された上記電子化カルテを検索し、検索された当該電子化カルテを上記出力部に出力する電子化カルテ出力ステップと、上記電子化カルテ出力ステップにて出力された上記電子化カルテに対応する上記紙カルテの貸出を希望する上記利用者により、上記入力部を介して入力された、貸出開始日時を示す貸出開始日時コードおよび上記貸出を希望する上記利用者を示す貸出希望者コードを用いて、当該電子化カルテの上記貸出コードと照合することにより、当該紙カルテの貸出状況を確認する貸出状況確認ステップと、上記貸出状況確認ステップにて上記紙カルテが貸出中であることが確認された場合、上記貸出コードから、当該紙カルテの貸出終了日時を示す貸出終了日時コードおよび貸出中の上記利用者を示す上記貸出希望者コードのうち少なくとも１つを抽出し、上記出力部に出力する貸出状況出力ステップと、を更に含み、上記紙カルテ検索ステップにおいて、上記貸出状況確認ステップにて上記紙カルテが貸出可能であることが確認された場合、当該紙カルテに対応する上記電子化カルテの上記保管場所コードを上記記憶部より検索して抽出し、上記出力部に出力することを特徴とする。
【００２４】
また、本発明の電子化カルテ管理方法は、上記記載の電子化カルテ管理方法において、上記電子化カルテ管理装置は、印刷部を更に備えており、上記制御部において実行される、上記分類コードを光学式に読み取り可能なコード画像情報に変換するコード画像情報変換ステップと、上記コード画像情報変換ステップにて変換された上記コード画像情報を、上記紙カルテ読取ステップにて作成された上記カルテ画像情報上に表示したコード画像情報付きカルテ画像情報を生成し、上記印刷部を制御して当該コード画像情報付きカルテ画像情報を印刷するカルテ画像情報印刷ステップと、を更に含み、上記電子化カルテ格納ステップにおいて、上記カルテ画像情報印刷ステップにて生成された上記コード画像情報付きカルテ画像情報を上記分類コードに対応付けて上記電子化カルテとして上記記憶部に格納し、上記紙カルテ検索ステップにおいて、上記貸出状況確認ステップにて上記紙カルテが貸出可能であることが確認された場合、当該紙カルテに対応する上記電子化カルテの上記保管場所コードの上記コード画像情報を上記記憶部より検索して抽出し、上記出力部に出力することを特徴とする。
【００２５】
また、本発明の電子化カルテ管理方法は、上記記載の電子化カルテ管理方法において、上記制御部において実行される、上記記憶部より上記公開コードを検索して抽出し、当該公開コードが上記電子化カルテの公開を許可する公開許可コードを含む場合、上記電子化カルテ出力ステップにて当該公開許可コードを上記電子化カルテ上に表示した状態で上記出力部に出力した後、上記印刷部による当該電子化カルテの印刷、および、当該電子化カルテの電子媒体へのコピーを許可するコピー許可ステップと、上記記憶部より上記公開コードを検索して抽出し、当該公開コードが上記電子化カルテの公開を禁止する公開禁止コードを含む場合、上記電子化カルテ出力ステップにて当該公開禁止コードを上記電子化カルテ上に表示した状態で上記出力部に出力した後、上記印刷部による当該電子化カルテの印刷、および、当該電子化カルテの電子媒体へのコピーを禁止するコピー禁止ステップと、を更に含むことを特徴とする。
【００２６】
また、本発明の電子化カルテ管理方法は、上記記載の電子化カルテ管理方法において、上記電子化カルテ出力ステップにおいて、個人を特定できる個人情報が記載された部分を塗り潰した状態または当該個人情報を非表示にした状態で、上記電子化カルテを上記出力部に出力することにより、上記個人情報を非公開とすることを特徴とする。
【００２７】
また、本発明の電子化カルテ管理方法は、上記記載の電子化カルテ管理方法において、上記保管場所コードは、上記電子化カルテの保管期間を示す保管期間コードを更に含み、上記制御部において実行される、上記保管期間コードに基づいて上記電子化カルテの上記保管期間が経過したか否かを判定する保管期間判定ステップと、上記保管期間判定ステップにて上記保管期間が経過していないと判定された場合、上記電子化カルテを削除できない旨を通知する削除不可通知を上記出力部に出力する削除不可通知出力ステップと、上記保管期間判定ステップにて上記保管期間が経過したと判定された場合、上記電子化カルテを上記電子媒体へコピー後、当該電子化カルテを上記記憶部から削除する電子化カルテ削除ステップと、を更に含み、上記電子化カルテ出力ステップにおいて、上記電子化カルテ削除ステップにてコピー後の上記電子媒体から上記電子化カルテを読み込むことにより、当該電子化カルテを上記出力部に出力することを特徴とする。
【００２８】
また、本発明の電子化カルテ管理方法は、上記記載の電子化カルテ管理方法において、上記制御部において実行される、上記電子化カルテに対して、上記紙カルテの作成者を特定する署名情報、および、当該電子化カルテに対する処理時刻を示す処理時刻情報のうち少なくとも１つを取得し、上記分類コードに追加して上記記憶部に格納する電子署名格納ステップを更に含み、上記電子化カルテ出力ステップにおいて、上記電子化カルテ上に、上記電子署名格納ステップにて追加された、対応する上記署名情報および上記処理時刻情報のうち少なくとも１つを上記出力部に出力することを特徴とする。
【発明の効果】
【００２９】
この発明によれば、画像読取部を制御して少なくとも１つのページから構成される紙カルテを読み取ることにより、カルテ画像情報を作成し、作成されたカルテ画像情報を、紙カルテの保管場所を特定する保管場所コード、紙カルテの種類を特定する文書コード、および、紙カルテの何ページ目であるかを示すページ数コードを少なくとも含む分類コードに対応付けて電子化カルテとして記憶部に格納し、既に格納された電子化カルテに対応する紙カルテに対してページが追加された場合、追加のカルテ画像情報を作成し、当該カルテ画像情報に対応する分類コードを付加し、当該付加された分類コードに従って、追加の当該カルテ画像情報を、格納された電子化カルテに挿入し、挿入された電子化カルテに対応する紙カルテの保管場所コードを記憶部より検索して抽出して出力部に出力するので、従来のように、所望の紙カルテを検索する際にその分類コードに熟知した専門の担当者が検索する必要がないため、担当者の熟練度合いによっても検索効率が大きく左右されてしまうことがなく、本発明は、医療分野における利用者のデータ入力や更新や効率性を向上することができるという効果を奏する。具体的には、従来のカルテ管理では、新たな検査結果などが追加される度に専門のカルテ管理者等が冊子状に束ねられた紙カルテを１枚１枚にばらした後、追加の紙カルテを該当場所に挿入し再び綴じて冊子に戻すという作業が発生することで人件費や時間がかかっていたが、本発明によれば、紙カルテを画像化して医療分野に標準化された分類コードに対応付けて電子化カルテとして保管することができるので、従来行われていたこれらの作業の手間が省くことができ、カルテ管理の効率化を図ることができるという効果を奏する。また、本発明によれば、保管場所に関して、例えば、法的義務等を遵守するために一定期間（５年間等）保管した紙カルテが必要となった場合や、医者が論文執筆のための参考資料として紙カルテの貸出を希望した場合などに、利用者が閲覧する電子化カルテに表示された保管場所コードから原本である紙カルテの保管先を知ることができるという効果を奏する。
【００３０】
また、この発明によれば、電子化カルテ挿入において、追加の電子化カルテの文書コードが、既に記憶部に格納された電子化カルテの文書コードと同一である場合、記憶部に格納された当該電子化カルテのページ数コードのページ数を追加の電子化カルテのページ数分だけ増加させた後、追加の電子化カルテを同一の当該文書コードに対応付けられた電子化カルテに挿入するので、追加の電子化カルテを挿入する際に、文書コードが同一であるか否かを確認することにより、同種類の紙カルテであるかを判定することができ、同一の文書コードに対応付けられた電子化カルテに重複しない必要なデータ（例えば、ページ数コードや追加のカルテ画像情報等）のみを追加することにより、効率的に電子化カルテを更新することができるという効果を奏する。
【００３１】
また、この発明によれば、分類コードは、病院コード、患者コード、カルテコード、時刻コード、疾病コード、投薬コード、術式コード、貸出コード、および、公開コードのうち少なくとも１つを更に含むので、医療分野にて標準化された分類コードに基づいて電子化カルテを記憶することができるという効果を奏する。具体的には、従来、紙カルテを電子化した順番（読み取り順）にて電子化カルテに時系列ＩＤを付与しているため、所望の電子化カルテを検索する際、一定時間検索時間がかかっていたが、本発明は、時系列ＩＤを使用せず、紙カルテを特定する上述の分類コードにて電子化カルテを記憶することにより、所望の電子化カルテを分類コードに基づいて短時間で効率的に検索することができるという効果を奏する。
【００３２】
また、この発明によれば、利用者により入力部を介して入力された分類コードに基づいて、記憶部に格納された電子化カルテを検索し、検索された当該電子化カルテを出力部に出力し、出力された電子化カルテに対応する紙カルテの貸出を希望する利用者により、入力部を介して入力された、貸出開始日時を示す貸出開始日時コードおよび貸出を希望する利用者を示す貸出希望者コードを用いて、当該電子化カルテの貸出コードと照合することにより、当該紙カルテの貸出状況を確認し、紙カルテが貸出中であることが確認された場合、貸出コードから、当該紙カルテの貸出終了日時を示す貸出終了日時コードおよび貸出中の利用者を示す貸出希望者コードのうち少なくとも１つを抽出し、出力部に出力し、紙カルテ検索において、紙カルテが貸出可能であることが確認された場合、当該紙カルテに対応する電子化カルテの保管場所コードを記憶部より検索して抽出し、出力部に出力するので、例えば、医者が論文執筆のための参考資料として患者の紙カルテの貸出を希望する場合、所望の電子化カルテの貸出コードを確認し、当該電子化カルテが貸出可能であるか否かを確認することができるという効果を奏する。また、本発明によれば、この確認結果が貸出不可である場合は、現在貸出中の利用者や貸出終了日時を確認することができるので、例えば、貸出中の利用者に対して紙カルテを返却してもらうよう通知することや、貸出終了日時の後にその紙カルテを確実に借りられるよう予約することが可能になるという効果を奏する。また、本発明によれば、この確認結果が貸出可能である場合は、紙カルテの保管場所を確認することができるので、例えば、カルテ保管庫にて所望する紙カルテを効率的に検索することができるという効果を奏する。
【００３３】
また、この発明によれば、分類コードを光学式に読み取り可能なコード画像情報に変換し、変換されたコード画像情報を、作成されたカルテ画像情報上に表示したコード画像情報付きカルテ画像情報を生成し、印刷部を制御して当該コード画像情報付きカルテ画像情報を印刷し、電子化カルテ格納において、生成されたコード画像情報付きカルテ画像情報を分類コードに対応付けて電子化カルテとして記憶部に格納し、紙カルテ検索において、紙カルテが貸出可能であることが確認された場合、当該紙カルテに対応する電子化カルテの保管場所コードのコード画像情報を記憶部より検索して抽出し、出力部に出力するので、例えば、カルテ保管庫の担当者等が紙カルテ（印刷されたコード画像情報付きカルテ画像情報）を保管する際に、担当者等が所持するバーコードリーダ等により当該紙カルテに対応する電子化カルテの保管場所コード等の分類コードを読取り入力ミスすることなく登録することができ、これにより、利用者が紙カルテの保管場所を検索する際に、当該紙カルテに対応する電子化カルテの保管場所コードを、当該バーコードリーダ等を用いて読取ることにより、バーコードリーダ等の表示部に紙カルテの保管場所を表示させることができ、この保管場所を示す保管場所コード（例えば、倉庫Ａ：２階：３０１号室：２２番棚：Ａ−８ブロック等）に従って紙カルテを効率的に検索することができるという効果を奏する。
【００３４】
また、この発明によれば、記憶部より公開コードを検索して抽出し、当該公開コードが電子化カルテの公開を許可する公開許可コードを含む場合、当該公開許可コードを電子化カルテ上に表示した状態で出力部に出力した後、印刷部による当該電子化カルテの印刷、および、当該電子化カルテの電子媒体へのコピーを許可し、記憶部より公開コードを検索して抽出し、当該公開コードが電子化カルテの公開を禁止する公開禁止コードを含む場合、当該公開禁止コードを電子化カルテ上に表示した状態で出力部に出力した後、印刷部による当該電子化カルテの印刷、および、当該電子化カルテの電子媒体へのコピーを禁止するので、例えば、医者が論文執筆のための参考資料として患者のカルテ（紙カルテおよび電子化カルテを含む）の使用を希望する場合、所望の電子化カルテの公開コードを確認し、当該電子化カルテが公開可能であるか否かを確認することができ、この確認結果にしたがって、電子化カルテの印刷や電子媒体へのコピーを制限することができるという効果を奏する。これにより、本発明は、患者の公開または非公開の意思を確実に反映させることができるという効果を奏する。
【００３５】
また、この発明によれば、電子化カルテ出力において、個人を特定できる個人情報が記載された部分を塗り潰した状態または当該個人情報を非表示にした状態で、電子化カルテを出力部に出力することにより、個人情報を非公開とするので、例えば、医者が電子化カルテを閲覧する際に、確実に患者の個人情報を非公開にすることができ、医療担当者の患者に対する守秘義務等を確実に遵守することができるという効果を奏する。
【００３６】
また、この発明によれば、保管場所コードは、電子化カルテの保管期間を示す保管期間コードを更に含み、保管期間コードに基づいて電子化カルテの保管期間が経過したか否かを判定し、保管期間が経過していないと判定された場合、電子化カルテを削除できない旨を通知する削除不可通知を出力部に出力し、保管期間が経過したと判定された場合、電子化カルテを電子媒体へコピー後、当該電子化カルテを記憶部から削除し、電子化カルテ出力において、コピー後の電子媒体から電子化カルテを読み込むことにより、当該電子化カルテを出力部に出力するので、電子化カルテの保管期間（例えば、法的義務等を遵守するための一定期間である５年間等）を設定することができ、これにより、例えば、利用者が電子化カルテを削除する前に保管期間を確認することができるという効果を奏する。また、本発明は、保管期間が経過していない場合、削除不可通知を出力することにより、例えば、利用者がこの電子化カルテの保管期間を確認した上で削除できないことを確認することができるという効果を奏する。また、本発明は、保管期間が経過した場合、電子化カルテを削除する前に電子媒体（例えば、ＣＤやＤＶＤ等の外部記憶媒体など）に必ずコピーすることにより、利用者が保管期間を過ぎた後も電子媒体に電子化カルテのデータを保管することができ、紙カルテを紛失した場合であってもコピー後の電子媒体から電子化カルテをＰＣ等の情報処理装置に読み込ませて出力させることができ、カルテ（紙カルテおよび電子化カルテを含む）の情報の保管管理を厳重に行うことができるという効果を奏する。
【００３７】
また、この発明によれば、電子化カルテに対して、紙カルテの作成者を特定する署名情報、および、当該電子化カルテに対する処理時刻を示す処理時刻情報のうち少なくとも１つを取得し、分類コードに追加して記憶部に格納し、電子化カルテ出力において、電子化カルテ上に、対応する署名情報および処理時刻情報のうち少なくとも１つを出力部に出力するので、カルテ（紙カルテおよび電子化カルテを含む）を作成や改変した利用者を特定することができ、データの保守性を厳格に管理することができるという効果を奏する。
【００３８】
このように、本発明によれば、画像読取部にて読取った紙カルテのカルテ画像情報を電子化カルテとして格納する際に使用する分類コードが、医療分野で使用されている分類コードに準拠しているため、医療業務に適しており、医療に関する各種作業の効率を向上させることができるという効果を奏する。また、本発明は、電子化カルテをサーバ上に記憶しているので、このサーバに接続することにより文書管理をネットワーク上で行うことができ、文書管理の効率性を向上させることができるという効果を奏する。また、本発明は、上述の分類コードを用いて電子化カルテを記憶しているので、この分類コードに基づいて検索することができ、紙カルテおよび電子化カルテ等のデータのトレーサビリティを向上させることができるという効果を奏する。また、サーバ上に電子化カルテを記憶しているので、運搬時の事故等で紙カルテ等の紙文書を紛失するリスクを小さくすることができるという効果を奏する。
【発明を実施するための最良の形態】
【００３９】
以下に、本発明にかかる電子化カルテ管理装置および電子化カルテ管理方法並びにプログラムの実施の形態を図面に基づいて詳細に説明する。なお、この実施の形態によりこの発明が限定されるものではない。
【００４０】
［本発明の概要］
以下、本発明の概要について図１を参照して説明し、その後、本発明の構成および処理等について詳細に説明する。ここで、図１は、本発明の基本処理の一例を示すフローチャートである。
【００４１】
本発明は、概略的に、以下の基本的特徴を有する。本発明の電子化カルテ管理装置は、印刷部（例えば、プリンタ、ネットワークプリンタ等）と画像読取部（例えば、スキャナ、ネットワークスキャナ等）と出力部（例えば、ディスプレイ、モニタ等）と入力部（例えば、キーボード、マウス、タッチパネル等）と記憶部と制御部とを少なくとも備えて構成される。
【００４２】
続いて、図１を参照し、電子化カルテ管理装置の本実施形態における基本処理の一例について、以下に説明する。
【００４３】
図１に示すように、電子化カルテ管理装置の制御部は、画像読取部を制御して少なくとも１つのページから構成される紙カルテを読み取ることにより、カルテ画像情報を作成する（ステップＳＡ−１）。
【００４４】
ここで、「紙カルテ」とは、本実施形態において、少なくとも１つのページから構成される医療文書（例えば、紙カルテ、紹介状、検査データ等）の意味で用いており、この紙カルテは、後述の分類コードの順番に従って冊子状に綴じられて保管場所へ保管される。
【００４５】
そして、電子化カルテ管理装置の制御部は、ステップＳＡ−１にて作成されたカルテ画像情報を、紙カルテの保管場所を特定する保管場所コード、紙カルテの種類を特定する文書コード、および、紙カルテの何ページ目であるかを示すページ数コードを少なくとも含む分類コードに対応付けて電子化カルテとして記憶部に格納する（ステップＳＡ−２）。
【００４６】
ここで、「分類コード」とは、例えば、医療分野で使用されている分類コード（例えば、ＩＣＤコード（国際疾病分類）等）に準拠したコードであり、この分類コードは、例えば、上述の紙カルテの保管場所を特定する保管場所コード、紙カルテの種類を特定する文書コード、および、紙カルテの何ページ目であるかを示すページ数コードの他、病院コード、患者コード、カルテコード、時刻コード、疾病コード、投薬コード、術式コード、貸出コード、および、公開コードのうち少なくとも１つを更に含んでいてもよい。また、保管場所コードは、電子化カルテの保管期間を示す保管期間コードを更に含んでいてもよい。また、貸出コードは、貸出開始日時を示す貸出開始日時コード、紙カルテの貸出終了日時を示す貸出終了日時コード、および、貸出を希望する利用者または貸出中の利用者を示す貸出希望者コードのうち少なくとも１つを更に含んでいてもよい。また、公開コードは、電子化カルテの公開を許可する公開許可コード、または、電子化カルテの公開を禁止する公開禁止コードを更に含んでいてもよい。なお、これら分類コードの詳細については後述する。
【００４７】
また、「電子化カルテ」とは、本実施形態において、紙カルテが画像読取部にて読取られ画像化（電子化）されたカルテ画像情報に対し、上述の分類コードを対応付けたカルテデータの意味で用いており、キーボード等の入力部を介して入力された情報を基に作成された「電子カルテ」と区別して用いている。
【００４８】
また、電子化カルテ管理装置の制御部は、分類コードを光学式に読み取り可能なコード画像情報（例えば、バーコードやＲＦＩＤ等）に変換してもよい。また、電子化カルテ管理装置の制御部は、変換されたコード画像情報を、作成されたカルテ画像情報上に表示したコード画像情報付きカルテ画像情報を生成し、印刷部を制御して当該コード画像情報付きカルテ画像情報を印刷してもよい。また、電子化カルテ管理装置の制御部は、生成されたコード画像情報付きカルテ画像情報を分類コードに対応付けて電子化カルテとして記憶部に格納してもよい。
【００４９】
また、電子化カルテ管理装置の制御部は、電子化カルテに対して、紙カルテの作成者を特定する署名情報（例えば、利用者ＩＤや印影画像など）、および、当該電子化カルテに対する処理時刻を示す処理時刻情報（例えば、画像読取時刻、署名情報設定時刻など）のうち少なくとも１つを取得し、分類コードに追加して記憶部に格納してもよい。
【００５０】
そして、電子化カルテ管理装置の制御部は、ステップＳＡ−２にて記憶部に既に格納された電子化カルテに対応する紙カルテに対してページが追加された場合、追加のカルテ画像情報を作成し、当該カルテ画像情報に対応する分類コードを付加し、当該付加された分類コードに従って、追加の当該カルテ画像情報を、記憶部に格納された電子化カルテに挿入する（ステップＳＡ−３）。ここで、電子化カルテ管理装置の制御部は、追加の電子化カルテの文書コードが、既に記憶部に格納された電子化カルテの文書コードと同一である場合、記憶部に格納された当該電子化カルテのページ数コードのページ数を追加の電子化カルテのページ数分だけ増加させた後、追加の電子化カルテを同一の当該文書コードに対応付けられた電子化カルテに挿入してもよい。
【００５１】
そして、電子化カルテ管理装置の制御部は、ステップＳＡ−３にて挿入された電子化カルテに対応する紙カルテの保管場所コードを記憶部より検索して抽出し、出力部に出力する（ステップＳＡ−４）。ここで、電子化カルテ管理装置の制御部は、利用者により入力部を介して入力された分類コードに基づいて、記憶部に格納された電子化カルテを検索し、検索された当該電子化カルテを出力部に出力してもよい。また、電子化カルテ管理装置の制御部は、紙カルテが貸出可能であることが確認された場合、当該紙カルテに対応する電子化カルテの保管場所コードのコード画像情報を記憶部より検索して抽出し、出力部に出力してもよい。また、電子化カルテ管理装置の制御部は、電子化カルテ上に、対応する署名情報および処理時刻情報のうち少なくとも１つを出力部に出力してもよい。電子化カルテ管理装置の制御部は、個人を特定できる個人情報（例えば、氏名、住所、生年月日等）が記載された部分を塗り潰した状態（例えば、氏名や住所が記載された部分を黒塗りにした状態など）または当該個人情報を非表示にした状態（例えば、氏名や住所が記載を空欄にした状態など）で、電子化カルテを出力部に出力することにより、個人情報を非公開としてもよい。
【００５２】
また、電子化カルテ管理装置の制御部は、出力された電子化カルテに対応する紙カルテの貸出を希望する利用者により、入力部を介して入力された、貸出開始日時を示す貸出開始日時コードおよび貸出を希望する利用者を示す貸出希望者コードを用いて、当該電子化カルテの貸出コードと照合することにより、当該紙カルテの貸出状況を確認してもよい。また、電子化カルテ管理装置の制御部は、紙カルテが貸出中であることが確認された場合、貸出コードから、当該紙カルテの貸出終了日時を示す貸出終了日時コードおよび貸出中の利用者を示す貸出希望者コードのうち少なくとも１つを抽出し、出力部に出力してもよい。また、電子化カルテ管理装置の制御部は、紙カルテが貸出可能であることが確認された場合、当該紙カルテに対応する電子化カルテの保管場所コードを記憶部より検索して抽出し、出力部に出力してもよい。
【００５３】
また、電子化カルテ管理装置の制御部は、記憶部より公開コードを検索して抽出し、当該公開コードが電子化カルテの公開を許可する公開許可コードを含む場合、当該公開許可コードを電子化カルテ上に表示した状態で出力部に出力した後、印刷部による当該電子化カルテの印刷、および、当該電子化カルテの電子媒体（例えば、ＣＤやＤＶＤ等の外部記憶媒体など）へのコピーを許可してもよい。また、電子化カルテ管理装置の制御部は、記憶部より公開コードを検索して抽出し、当該公開コードが電子化カルテの公開を禁止する公開禁止コードを含む場合、当該公開禁止コードを電子化カルテ上に表示した状態で出力部に出力した後、印刷部による当該電子化カルテの印刷、および、当該電子化カルテの電子媒体へのコピーを禁止してもよい。
【００５４】
また、電子化カルテ管理装置の制御部は、保管期間コードに基づいて電子化カルテの保管期間が経過したか否かを判定してもよい。また、電子化カルテ管理装置の制御部は、保管期間が経過していないと判定された場合、電子化カルテを削除できない旨を通知する削除不可通知を出力部に出力してもよい。また、電子化カルテ管理装置の制御部は、保管期間が経過したと判定された場合、電子化カルテを電子媒体へコピー後、当該電子化カルテを記憶部から削除してもよい。また、電子化カルテ管理装置の制御部は、コピー後の電子媒体から電子化カルテを読み込むことにより、当該電子化カルテを出力部に出力してもよい。
【００５５】
以上で、本発明の概要の説明を終える。
【００５６】
［電子化カルテ管理装置１００の構成］
次に、本電子化カルテ管理装置１００の構成について図２を参照して説明する。図２は、本発明が適用される本電子化カルテ管理装置１００の構成の一例を示すブロック図であり、該構成のうち本発明に関係する部分のみを概念的に示している。
【００５７】
図２に示すように、本電子化カルテ管理装置１００は、概略的に、印刷部１１６と画像読取部１１８と出力部１１４と入力部１１２と記憶部１０６と制御部１０２とを少なくとも備えて構成される。これら電子化カルテ管理装置１００の各部は任意の通信路を介して通信可能に接続されている。
【００５８】
また、図２において、入出力制御インターフェース部１０８は、入力部１１２、出力部１１４、印刷部１１６、画像読取部１１８等の制御を行う。ここで、出力部１１４としては、モニタ（家庭用テレビを含む）やスピーカ等を用いてもよい。また、入力部１１２としては、キーボード、マウス、タッチパネル、および、マイク等を用いてもよい。
【００５９】
また、図２において、印刷部１１６は、プリンタ機能を有する印刷手段であり、例えば、プリンタやネットワークプリンタ等である。本実施形態において、印刷部１１６は、記憶部１０６に記憶されたカルテ画像情報を含む電子化カルテを印刷する。また、画像読取部１１８は、スキャナ機能をする画像読取手段であり、例えば、スキャナやネットワークスキャナ等である。本実施形態において、画像読取部１１８は、紙カルテ等の医療文書を読取る。なお、図示しないが、印刷部１１６と画像読取部１１８は、少なくともプリンタ機能およびスキャナ機能を有する複合機として構成してもよい。
【００６０】
また、図２において、記憶部１０６は、固定ディスク装置等のストレージ手段であり、各種のデータベースやテーブル（分類コードファイル１０６ａおよび電子化カルテデータベース１０６ｂ等）を格納する。例えば、記憶部１０６は、各種処理に用いる各種のプログラムやテーブルやファイルやデータベースやウェブページなどを格納する。
【００６１】
これら記憶部１０６の各構成要素のうち、分類コードファイル１０６ａは、予め利用者により入力部１１２を介して設定されたか、または、制御部１０２の処理により自動的に設定された、医療分野で使用されている分類コード（例えば、ＩＣＤコード（国際疾病分類）等）に準拠するコードを記憶する分類コード記憶手段である。本実施形態において、分類コードファイル１０６ａに記憶された分類コードは、制御部１０２が、画像読取部１１８にて読取られた紙カルテのカルテ画像情報を当該分類コードに対応付けて電子化カルテとして電子化カルテデータベース１０６ｂに記憶する際に用いられる。ここで、分類コードファイル１０６ａは、例えば、紙カルテの保管場所を特定する保管場所コード、紙カルテの種類を特定する文書コード、および、紙カルテの何ページ目であるかを示すページ数コードの他、病院コード、患者コード、カルテコード、文書コード、時刻コード、ページ数コード、保管場所コード、疾病コード、投薬コード、術式コード、貸出コード、および、公開コードのうち少なくとも１つを更に含んでいてもよい。また、保管場所コードは、電子化カルテの保管期間を示す保管期間コードを更に含んでいてもよい。また、貸出コードは、貸出開始日時を示す貸出開始日時コード、紙カルテの貸出終了日時を示す貸出終了日時コード、および、貸出を希望する利用者または貸出中の利用者を示す貸出希望者コードのうち少なくとも１つを更に含んでいてもよい。また、公開コードは、電子化カルテの公開を許可する公開許可コード、または、電子化カルテの公開を禁止する公開禁止コードを更に含んでいてもよい。
【００６２】
続いて、分類コードの詳細について以下に説明する。本実施形態において、分類コードは、一例として、以下の順番で電子化カルテにページごとに割り当てられる。例えば、分類コードは、（ａ）病院コード、（ｂ）患者コード、（ｃ）カルテコード、（ｄ）文書コード、（ｅ）時刻コード、（ｆ）ページ数コード、（ｇ）保管場所コード、および、（ｈ）付加コードの順で構成され、（ｈ）付加コードは、（ｈ−１）疫病コード、（ｈ−２）投薬コード（複数）、（ｈ−３）術式コード、（ｈ−４）貸出コード、および、（ｈ−５）公開コードを備えて構成される。
【００６３】
具体的には、例えば、（ａ）病院コードは、連携している病院に対して、どこの病院かを同定するコードである。また、（ｂ）患者コードは、病院にかかった患者を同定するコードである。また、（ｃ）カルテコードは、同じ患者に何度も治療を行った時などに、個々の治療を同定するコードである。また、（ｄ）文書コードは、カルテ、紹介状、検査データ等の文書の性格を同定するコードであり、紙カルテの種類を特定する。また、（ｅ）時刻コードは、電子化カルテが作成された時間（例えば、タイムスタンプ等を利用して制御部１０２が自動的に入力してもよく、また、利用者が入力部１１２を介して時計等を手動で入力してもよい）を示すコードであり、例えば、元号を用いてもよい。また、（ｆ）ページ数コードは、（ｄ）文書コードで同定された文書の何ページ目かを同定するコードであり、紙カルテの何ページ目であるかを示す。また、（ｇ）保管場所コードは、電子化カルテとする前の紙カルテの保管場所を同定するコードであり、紙カルテの保管場所を特定する。ここで、（ｇ）保管場所コードは、例えば、保管棚のある建屋（本実施形態では、一例として、外部の倉庫に保管する場合を想定している）、保管棚のある階の番号、部屋番号、棚番号、１つの棚を縦横複数のブロックに分けた場合のブロックを同定するブロック番号等から構成される。また、（ｇ）保管場所コードは、電子化カルテの保管期間を示す保管期間コードを更に含んでいてもよい。
【００６４】
また、（ｈ）付加コードのうち（ｈ−１）疫病コードは、ＩＣＤ（国際疫病分類）等に従って病気を同定するコードである。また、（ｈ）付加コードのうち（ｈ−２）投薬コードは、治療に使用した薬を同定するコードであり、例えば、薬名コード、投薬量コード、投薬期間コードの組合せなどが複数存在する。また、（ｈ）付加コードのうち（ｈ−３）術式コードは、治療のために実施した手術内容を同定するコードである。また、（ｈ）付加コードのうち（ｈ−４）貸出コードは、例えば、紙カルテを貸出した場合、その開始日時と終了日時や貸出した先の利用者を同定するコードなどが複数存在する。すなわち、（ｈ−４）貸出コードは、貸出開始日時を示す貸出開始日時コード、紙カルテの貸出終了日時を示す貸出終了日時コード、および、貸出を希望する利用者または貸出中の利用者を示す貸出希望者コードのうち少なくとも１つを更に含んでいてもよい。本実施形態において、例えば、前の貸出中の利用者が（ｈ−４）貸出コードの終了日時コードに終了した日時を入力しない場合、次の貸出を希望する利用者に紙カルテを貸出せない。また、利用者は、（ｈ−４）貸出コードを参照することで、対応する紙カルテの貸出状況（貸出履歴を含む）を把握することができる。また、紙カルテと異なり、電子化カルテに関しては、複数の出力部１１４に出力して複数の人間が閲覧できるので、特に閲覧履歴を記録する必要はないが、必要に応じて記録してもよい。また、（ｈ−５）公開コードは、患者が自分の情報を公開することに同意しているかどうかを同定するコードであり、公開コードは、電子化カルテの公開を許可する公開許可コード、または、電子化カルテの公開を禁止する公開禁止コードを更に含んでいてもよい。
【００６５】
なお、これら分類コードの各コード内で該当する情報がない場合は、例えば、文字コードであれば「ＮＵＬＬ」を、数値であれば、「０」を入力してもよい。
【００６６】
また、電子化カルテデータベース１０６ｂは、少なくともカルテ画像情報と分類コードとを対応付けて電子化カルテとして記憶する電子化カルテ記憶手段である。本実施形態において、電子化カルテデータベース１０６ｂは、制御部１０２が、画像読取部１１８にて読取られた紙カルテに基づいて作成されたカルテ画像情報を、紙カルテの保管場所を特定する保管場所コード、紙カルテの種類を特定する文書コード、および、紙カルテの何ページ目であるかを示すページ数コードを少なくとも含む分類コードに対応付けて電子化カルテとして格納する格納先として用いられる。
【００６７】
さらに、本実施形態において、電子化カルテデータベース１０６ｂは、制御部１０２が、生成されたコード画像情報付きカルテ画像情報を分類コードに対応付けて電子化カルテとして格納する格納先として用いられる。また、電子化カルテデータベース１０６ｂは、制御部１０２が、電子化カルテに対して、紙カルテの作成者を特定する署名情報、および、当該電子化カルテに対する処理時刻を示す処理時刻情報のうち少なくとも１つを取得し、分類コードに追加して格納する格納先として用いられる。また、電子化カルテデータベース１０６ｂは、電子化カルテデータベース１０６ｂに既に格納された電子化カルテに対応する紙カルテに対してページが追加された場合、制御部１０２が、追加のカルテ画像情報を作成し、当該カルテ画像情報に対応する分類コードを付加し、当該付加された分類コードに従って、追加の当該カルテ画像情報を、電子化カルテデータベース１０６ｂに格納された電子化カルテに挿入する際に用いられる。また、電子化カルテデータベース１０６ｂは、追加の電子化カルテの文書コードが、既に電子化カルテデータベース１０６ｂに格納された電子化カルテの文書コードと同一である場合、制御部１０２が、電子化カルテデータベース１０６ｂに格納された当該電子化カルテのページ数コードのページ数を追加の電子化カルテのページ数分だけ増加させた後、追加の電子化カルテを同一の当該文書コードに対応付けられた電子化カルテに挿入する際に用いられる。
【００６８】
また、図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、紙カルテ読取部１０２ａ、電子化カルテ格納部１０２ｂ、電子化カルテ挿入部１０２ｃ、紙カルテ検索部１０２ｄ、電子化カルテ出力部１０２ｅ、貸出状況確認部１０２ｆ、貸出状況出力部１０２ｇ、コード画像情報変換部１０２ｈ、カルテ画像情報印刷部１０２ｉ、コピー許可部１０２ｊ、コピー禁止部１０２ｋ、保管期間判定部１０２ｍ、削除不可通知出力部１０２ｎ、電子化カルテ削除部１０２ｏ、および、電子署名格納部１０２ｐを備えて構成されている。
【００６９】
このうち、紙カルテ読取部１０２ａは、画像読取部１１８を制御して少なくとも１つのページから構成される紙カルテを読み取ることにより、カルテ画像情報を作成する紙カルテ読取手段である。
【００７０】
また、電子化カルテ格納部１０２ｂは、紙カルテ読取部１０２ａにて作成されたカルテ画像情報を、紙カルテの保管場所を特定する保管場所コード、紙カルテの種類を特定する文書コード、および、紙カルテの何ページ目であるかを示すページ数コードを少なくとも含む分類コードに対応付けて電子化カルテとして電子化カルテデータベース１０６ｂに格納する電子化カルテ格納手段である。ここで、電子化カルテ格納部１０２ｂは、後述のカルテ画像情報印刷部１０２ｉにて生成されたコード画像情報付きカルテ画像情報を分類コードに対応付けて電子化カルテとして電子化カルテデータベース１０６ｂに格納してもよい。
【００７１】
また、電子化カルテ挿入部１０２ｃは、電子化カルテ格納部１０２ａにて既に電子化カルテデータベース１０６ｂに格納された電子化カルテに対応する紙カルテに対してページが追加された場合、紙カルテ読取部１０２ａにて追加のカルテ画像情報を作成し、当該カルテ画像情報に対応する分類コードを付加し、当該付加された分類コードに従って、追加の当該カルテ画像情報を、電子化カルテ格納部１０２ａにて格納された電子化カルテに挿入する電子化カルテ挿入手段である。ここで、電子化カルテ挿入部１０２ｃは、追加の電子化カルテの文書コードが、既に電子化カルテデータベース１０６ｂに格納された電子化カルテの文書コードと同一である場合、電子化カルテデータベース１０６ｂに格納された当該電子化カルテのページ数コードのページ数を追加の電子化カルテのページ数分だけ増加させた後、追加の電子化カルテを同一の当該文書コードに対応付けられた電子化カルテに挿入してもよい。
【００７２】
また、紙カルテ検索部１０２ｄは、電子化カルテ挿入部１０２ｃにて挿入された電子化カルテに対応する紙カルテの保管場所コードを電子化カルテデータベース１０６ｂより検索して抽出し、出力部１１４に出力する紙カルテ検索手段である。ここで、紙カルテ検索部１０２ｄは、後述の貸出状況確認部１０２ｆにて紙カルテが貸出可能であることが確認された場合、当該紙カルテに対応する電子化カルテの保管場所コードを電子化カルテデータベース１０６ｂより検索して抽出し、出力部１１４に出力してもよい。また、紙カルテ検索部１０２ｄは、貸出状況確認部１０２ｆにて紙カルテが貸出可能であることが確認された場合、当該紙カルテに対応する電子化カルテの保管場所コードのコード画像情報を電子化カルテデータベース１０６ｂより検索して抽出し、出力部１１４に出力してもよい。
【００７３】
また、電子化カルテ出力部１０２ｅは、利用者により入力部１１２を介して入力された分類コードに基づいて、電子化カルテデータベース１０６ｂに格納された電子化カルテを検索し、検索された当該電子化カルテを出力部１１４に出力する電子化カルテ出力手段である。ここで、電子化カルテ出力部１０２ｅは、個人を特定できる個人情報が記載された部分を塗り潰した状態または当該個人情報を非表示にした状態で、電子化カルテを出力部１１４に出力することにより、個人情報を非公開としてもよい。また、電子化カルテ出力部１０２ｅは、後述の電子化カルテ削除部１０２ｏにてコピー後の電子媒体から電子化カルテを読み込むことにより、当該電子化カルテを出力部１１４に出力してもよい。また、電子化カルテ出力部１０２ｅは、電子化カルテ上に、後述する電子署名格納部１０２ｐにて追加された対応する署名情報および処理時刻情報のうち少なくとも１つを出力部１１４に出力してもよい。
【００７４】
また、貸出状況確認部１０２ｆは、電子化カルテ出力部１０２ｅにて出力された電子化カルテに対応する紙カルテの貸出を希望する利用者により、入力部１１２を介して入力された、貸出開始日時を示す貸出開始日時コードおよび貸出を希望する利用者を示す貸出希望者コードを用いて、当該電子化カルテの貸出コードと照合することにより、当該紙カルテの貸出状況を確認する貸出状況確認手段である。
【００７５】
また、貸出状況出力部１０２ｇは、貸出状況確認部１０２ｆにて紙カルテが貸出中であることが確認された場合、貸出コードから、当該紙カルテの貸出終了日時を示す貸出終了日時コードおよび貸出中の利用者を示す貸出希望者コードのうち少なくとも１つを抽出し、出力部１１４に出力する貸出状況出力手段である。
【００７６】
また、コード画像情報変換部１０２ｈは、分類コードを光学式に読み取り可能なコード画像情報に変換するコード画像情報変換手段である。
【００７７】
また、カルテ画像情報印刷部１０２ｉは、コード画像情報変換部１０２ｈにて変換されたコード画像情報を、紙カルテ読取部１０２ａにて作成されたカルテ画像情報上に表示したコード画像情報付きカルテ画像情報を生成し、印刷部１１６を制御して当該コード画像情報付きカルテ画像情報を印刷するカルテ画像情報印刷手段である。ここで、カルテ画像情報印刷部１０２ｉは、紙カルテ読取部１０２ａにて作成されたカルテ画像情報を、印刷部１１６を制御して印刷してもよい。
【００７８】
また、コピー許可部１０２ｊは、電子化カルテデータベース１０６ｂより公開コードを検索して抽出し、当該公開コードが電子化カルテの公開を許可する公開許可コードを含む場合、電子化カルテ出力部１０２ｅにて当該公開許可コードを電子化カルテ上に表示した状態で出力部１１４に出力した後、印刷部１１６による当該電子化カルテの印刷、および、当該電子化カルテの電子媒体へのコピーを許可するコピー許可手段である。
【００７９】
また、コピー禁止部１０２ｋは、電子化カルテデータベース１０６ｂより公開コードを検索して抽出し、当該公開コードが電子化カルテの公開を禁止する公開禁止コードを含む場合、電子化カルテ出力部１０２ｅにて当該公開禁止コードを電子化カルテ上に表示した状態で出力部１１４に出力した後、印刷部１１６による当該電子化カルテの印刷、および、当該電子化カルテの電子媒体へのコピーを禁止するコピー禁止手段である。
【００８０】
また、保管期間判定部１０２ｍは、保管期間コードに基づいて電子化カルテの保管期間が経過したか否かを判定する保管期間判定手段である。
【００８１】
また、削除不可通知出力部１０２ｎは、保管期間判定部１０２ｍにて保管期間が経過していないと判定された場合、電子化カルテを削除できない旨を通知する削除不可通知を出力部１１４に出力する削除不可通知出力手段である。
【００８２】
また、電子化カルテ削除部１０２ｏは、保管期間判定部１０２ｍにて保管期間が経過したと判定された場合、電子化カルテを電子媒体へコピー後、当該電子化カルテを電子化カルテデータベース１０６ｂから削除する電子化カルテ削除手段である。
【００８３】
また、電子署名格納部１０２ｐは、電子化カルテに対して、紙カルテの作成者を特定する署名情報、および、当該電子化カルテに対する処理時刻を示す処理時刻情報のうち少なくとも１つを取得し、分類コードに追加して電子化カルテデータベース１０６ｂに格納する電子署名格納手段である。
【００８４】
ここで、通信制御インターフェース部（図示せず）は、通信回線等に接続されるルータ等の通信装置（図示せず）に接続されるインターフェースであり、電子化カルテ管理装置１００とネットワーク（図示せず）との間における通信制御を行う機能を有していてもよい。すなわち、通信制御インターフェース部は、印刷部１１６（ネットワークプリンタ等）、画像読取部１１８（ネットワークスキャナ等）、その他の情報処理端末（図示せず）等の外部機器と通信回線を介してデータを通信する機能を有していてもよい。また、ネットワークは、電子化カルテ管理装置１００と印刷部１１６、画像読取部１１８、その他の情報処理端末等の外部機器とを相互に接続する機能を有し、例えば、インターネット、電話回線網（携帯端末回線網、一般電話回線網を含む。）、イントラネット等であってもよい。
【００８５】
以上で、本電子化カルテ管理装置１００の構成の説明を終える。
【００８６】
［電子化カルテ管理装置１００の各処理］
次に、このように構成された本実施の形態における本電子化カルテ管理装置１００の各処理（コード画像変換処理〜保管期限管理処理）の一例について、以下に図３〜図７を参照して詳細に説明する。ここで、図３は、本実施の形態におけるコード画像変換処理の一例を示すフローチャートである。また、図４は、本実施の形態における電子署名・タイムスタンプ付加処理の一例を説明するフローチャートである。また、図５は、本実施の形態における紙カルテ貸出管理処理の一例を示すフローチャートである。また、図６は、本実施の形態におけるコピー管理処理の一例を示すフローチャートである。また、図７は、本実施の形態における保管期限管理処理の一例を示すフローチャートである。
【００８７】
［コード画像変換処理］
まず、上記図１のステップＳＡ−２において実行されるコード画像変換処理の一例について、図３を参照して以下に説明する。
【００８８】
図３に示すように、コード画像情報変換部１０２ｈは、例えば、利用者により入力部１１２を介して入力されたか、または、分類コードファイル１０６ａから呼び出すことにより、指定した分類コードを、光学式に読み取り可能なコード画像情報（例えば、バーコードやＲＦＩＤ等）に変換する（ステップＳＢ−１）。
【００８９】
そして、カルテ画像情報印刷部１０２ｉは、コード画像情報変換部１０２ｈの処理により変換されたコード画像情報を、紙カルテ読取部１０２ａの処理により作成されたカルテ画像情報上に表示したコード画像情報付きカルテ画像情報を生成し、印刷部１１２を制御して当該コード画像情報付きカルテ画像情報を印刷する（ステップＳＢ−２）。
【００９０】
そして、電子化カルテ格納部１０２ｂは、カルテ画像情報印刷部１０２ｉの処理により生成されたコード画像情報付きカルテ画像情報を、ステップＳＢ−１にて指定された分類コードに対応付けて電子化カルテとして電子化カルテデータベース１０６ｂに格納する（ステップＳＢ−３）。
【００９１】
ここで、上記図１のステップＳＡ−４において、紙カルテ検索部１０２ｄは、貸出状況確認部１０２ｆの処理により紙カルテが貸出可能であることが確認された場合、当該紙カルテに対応する電子化カルテの保管場所コードのコード画像情報を電子化カルテデータベース１０６ｂより検索して抽出し、出力部１１４に出力してもよい（ステップＳＢ−４）。以上で、コード画像変換処理の説明を終える。
【００９２】
［電子署名・タイムスタンプ付加処理］
続いて、上記図１のステップＳＡ−２において実行される電子署名・タイムスタンプ付加処理の一例について、図４を参照して以下に説明する。
【００９３】
図４に示すように、電子署名格納部１０２ｐは、例えば、利用者により入力部１１２を介して入力されたか、または、記憶部１０６より呼び出すことにより、電子化カルテに対して、紙カルテの作成者を特定する署名情報（例えば、利用者ＩＤや印影画像など）、および、制御部１０２の処理により自動的に打刻された、当該電子化カルテに対する処理時刻を示す処理時刻情報（例えば、画像読取時刻、署名情報設定時刻など）のうち少なくとも１つを取得する（ステップＳＣ−１）。
【００９４】
そして、電子署名格納部１０２ｐは、取得した署名情報および処理時刻情報を、例えば、対応する電子化カルテの文書コードに署名情報を付加し、時刻コードに処理時刻情報を付加することにより、当該電子化カルテの分類コードに追加し電子化カルテデータベース１０６ｂに格納する（ステップＳＣ−２）。以上で、電子署名・タイムスタンプ付加処理の説明を終える。
【００９５】
［紙カルテ貸出管理処理］
続いて、上記図１のステップＳＡ−４において実行される紙カルテ貸出管理処理の一例について、図５を参照して以下に説明する。
【００９６】
図５に示すように、貸出状況確認部１０２ｆは、電子化カルテ出力部１０２ｅの処理により出力された電子化カルテに対応する紙カルテの貸出を希望する利用者により、入力部１１２を介して入力された、貸出開始日時を示す貸出開始日時コード（例えば、２０××／１０／１０）および貸出を希望する利用者を示す貸出希望者コード（例えば、ｕｓｅｒｉｄ０００２）を用いて、当該電子化カルテの貸出コード（例えば、貸出終了日時コードや貸出希望者コード等）と照合することにより、当該紙カルテの貸出状況を確認する（例えば、貸出開始日時コード（２０××／１０／１０等）と、貸出終了日時コード（２０××／１０／１５等）と、を比較することにより貸出中であるか否かを確認する）（ステップＳＤ−１）。
【００９７】
そして、貸出状況出力部１０２ｇは、紙カルテが貸出中である（例えば、貸出開始日時コード＜貸出終了日時コード）ことが確認された場合（ステップＳＤ−１：Ｙｅｓ）、貸出コードから、当該紙カルテの貸出終了日時を示す貸出終了日時コード（例えば、２０××／１０／１５）および貸出中の利用者を示す貸出希望者コード（例えば、ｕｓｅｒｉｄ０００１）のうち少なくとも１つを抽出し、出力部１１４に出力する（ステップＳＤ−２）。
【００９８】
一方、紙カルテ検索部１０２ｄは、紙カルテが貸出可能である（例えば、貸出開始日時コード＞貸出終了日時コード）ことが確認された場合（ステップＳＤ−１：Ｎｏ）、当該紙カルテに対応する電子化カルテの保管場所コード（例えば、倉庫Ａ：２階：３０１号室：２２番棚：Ａ−８ブロック等）を電子化カルテデータベース１０６ｂより検索して抽出し、出力部１１４に出力する（ステップＳＤ−３）。以上で、紙カルテ貸出管理処理の説明を終える。
【００９９】
［コピー管理処理］
続いて、上記図１のステップＳＡ−４において実行されるコピー管理処理の一例について、図６を参照して以下に説明する。
【０１００】
図６に示すように、制御部１０２は、電子化カルテデータベース１０６ｂより閲覧を所望する電子化カルテの公開コードを検索して抽出し、当該公開コードが電子化カルテの公開を許可する公開許可コード（例えば、「公開」の文字を示す印影画像など）を含むか、または、電子化カルテの公開を禁止する公開禁止コード（例えば、「非公開」の文字を示す印影画像など）を含むかを判定する（ステップＳＥ−１）。
【０１０１】
そして、コピー許可部１０２ｊは、制御部１０２の処理により当該公開コードが電子化カルテの公開を許可する公開許可コードを含むと判定された場合（ステップＳＥ−１：Ｙｅｓ）、電子化カルテ出力部１０２ｅの処理により当該公開許可コードを電子化カルテ上に表示した状態で出力部１１４に出力した後、印刷部１１６による当該電子化カルテの印刷、および、当該電子化カルテの電子媒体（例えば、ＣＤやＤＶＤ等の外部記憶媒体など）へのコピーを許可する（ステップＳＥ−２）。
【０１０２】
一方、コピー禁止部１０２ｋは、制御部１０２の処理により当該公開コードが電子化カルテの公開を禁止する公開禁止コードを含むと判定された場合（ステップＳＥ−１：Ｎｏ）、電子化カルテ出力部１０２ｅの処理により当該公開禁止コードを電子化カルテ上に表示した状態で出力部１１４に出力した後、印刷部１１６による当該電子化カルテの印刷、および、当該電子化カルテの電子媒体へのコピーを禁止する（ステップＳＥ−３）。以上で、コピー管理処理の説明を終える。
【０１０３】
［保管期限管理処理］
続いて、上記図１のステップＳＡ−４において実行される保管期限管理処理の一例について、図７を参照して以下に説明する。
【０１０４】
図７に示すように、保管期間判定部１０２ｍは、保管場所コード中の保管期間コード（例えば、２０××／１２／３１）に基づいて電子化カルテの保管期間が経過したか否かを判定する（ステップＳＦ−１）。
【０１０５】
そして、削除不可通知出力部１０２ｎは、保管期間判定部１０２ｍの処理により保管期間が経過していない（例えば、保管期間コード＞現在日時）と判定された場合（ステップＳＦ−１：Ｎｏ）、電子化カルテを削除できない旨を通知する削除不可通知（例えば、「このカルテは削除できません。保管期間は、２０××／１２／３１迄です。」）を出力部１１４に出力する（ステップＳＦ−２）。
【０１０６】
一方、電子化カルテ削除部１０２ｏは、保管期間判定部１０２ｍの処理により保管期間が経過した（例えば、保管期間コード＜現在日時）と判定された場合（ステップＳＦ−１：Ｙｅｓ）、電子化カルテを電子媒体へコピー後、当該電子化カルテを電子化カルテデータベース１０６ｂから削除する（ステップＳＦ−３）。
【０１０７】
そして、電子化カルテ出力部１０２ｅは、電子化カルテ削除部１０２ｏの処理にてコピー後の電子媒体から電子化カルテを読み込むことにより、当該電子化カルテを出力部１１４に出力する（ステップＳＦ−４）。以上で、保管期限管理処理の説明を終える。
【０１０８】
これにて、本電子化カルテ管理装置１００の各処理の説明を終える。
【０１０９】
［実施例］
続いて、本電子化カルテ管理装置１００を適用した実施例について、図８〜図１１を参照し、以下に説明する。ここで、図８は、本実施例における紙カルテの表面の一例を示す図である。図９は、本実施例における紙カルテの裏面の一例を示す図である。また、図１０は、本実施例におけるカルテファイリング順番管理テーブルの一例を示す図である。また、図１１は、本実施例における紙カルテ利用規定管理テーブルの一例を示す図である。
【０１１０】
まず、図８〜図１０を参照して、一例として、入院患者が退院する際のカルテ（紙カルテおよび電子化カルテを含む）の管理に、本電子化カルテ管理装置１００を導入した実施例について説明する。
【０１１１】
（１）紙カルテ読取部１０２ａは、患者が退院する際に、入院時や退院時に医者等の医療担当者が作成した紙カルテ（図８および図９参照）を画像読取部１１８にて一括スキャンして、電子化（画像化）し、カルテ画像情報を作成する。
【０１１２】
ここで、電子化カルテ管理装置１００は、図１０に示すカルテファイリング順番管理テーブルを記憶部１０６に備えていてもよい。図１０に示すように、カルテファイルリング順番管理テーブルは、一例として、１〜３５の「順番」に対応付けられた「分類コード」から構成される。本実施形態において、カルテ（紙カルテおよび電子化カルテを含む）は、このカルテファイリング順番管理テーブルに記憶された順番に従って管理（保存や更新や削除等）される。なお、図１０の「＊」で示した分類コードにおいては、入院中のレポートは日付の新しい順に並べ、退院時に時系列に並び変えるものとする。また、患者が退院後、「１」の入院診療録と「２」の退院時経過抄録の順番は入替わるものとする。
【０１１３】
（２）そして、電子化カルテ格納部１０２ｂは、紙カルテ読取部１０２ａの処理により作成されたカルテ画像情報を、図１０に示す順番で分類コードに対応付けて電子化カルテとして電子化カルテデータベース１０６ｂに保存する。具体的には、電子化カルテ格納部１０２ｂは、紙カルテ読取部１０２ａの処理により紙カルテを電子化する際、紙カルテに対応する電子化カルテの１枚１枚に、紙カルテを特定する分類コード（図１０参照）を付与する。ここで、電子化カルテ格納部１０２ｂは、利用者の操作によりキーボード等の入力部１１２を介して入力された分類コードを付与してもよく、制御部１０２の処理により分類コードファイル１０６ａに記憶された分類コードを抽出して付与してもよい。
【０１１４】
（３）そして、患者が退院し、上記（２）において電子化カルテ格納部１０２ｂの処理による分類コード付与作業が終了した後、患者が入院している間に患者に対し実施した検査データ等を含む検査結果が、検査担当者から医療担当者（医者等）の元に届く。
【０１１５】
（４）そして、上記（３）の追加の検査結果が届く度、または、一定期間ごとに蓄積された紙カルテを、上記（１）において紙カルテ読取部１０２ａが画像読取部１１８にて一括スキャンして電子化（画像化）し、上記（２）において電子化カルテ格納部１０２ｂがカルテファイリング順番管理テーブルの順番に従って分類コードを電子化カルテの１枚１枚に付与した上で、電子化カルテデータベース１０６ｂに保存する工程が繰り返され、その際、電子化カルテ挿入部１０２ｃは、既に電子化カルテデータベース１０６ｂに記憶された、該当する電子化カルテの束に追加の電子化カルテをカルテファイリング順番管理テーブルの順番に従って電子的に挿入する。
【０１１６】
このように、本電子化カルテ管理装置１００を導入することにより、従来は、新たな検査結果などが追加される度に専門のカルテ管理者等が冊子状に束ねられた紙カルテを１枚１枚にばらした後、追加の紙カルテを該当場所に挿入し再び綴じて冊子に戻していたが、本電子化カルテ管理装置１００を導入することにより、従来行われていた作業の手間が省け、カルテ管理の効率化を図ることができる。
【０１１７】
次に、図１１を参照して、一例として、医者が論文を執筆する際に参考資料としてカルテ（紙カルテおよび電子化カルテを含む）を収集する工程に、本電子化カルテ管理装置１００を導入した実施例について説明する。
【０１１８】
（１）医者は、論文を執筆する際に、参考資料として該当するカルテ（紙カルテおよび電子化カルテを含む）の収集を開始する。
【０１１９】
（２）そして、医者等が操作（例えば、入力部１１２を介して分類コード等を入力）することにより、電子化カルテ出力部１０２ｅは、電子化カルテデータベース１０６ｂに記憶された電子化カルテを出力部１１４に出力する。
【０１２０】
ここで、必要に応じて医者等が操作（例えば、出力部１１４に出力された所望の電子化カルテの印刷ボタン等を選択）することにより、カルテ画像情報印刷部１０２ｉは、印刷部１１６を制御して電子化カルテを印刷してもよい。
【０１２１】
（３）そして、制御部１０２は、電子化カルテ出力部１０２ｅの処理により出力された電子化カルテの公開コードを参照することにより、患者が自分のカルテの公開を許可する意思があるか否かを確認する。
【０１２２】
ここで、上記（３）において制御部１０２が確認した結果、医者等が参考資料として使用を希望するカルテが公開不可能である場合は、必要に応じて医者等が操作（例えば、入力部１１２を介して所望する電子化カルテの個人情報非表示設定を解除）することにより、電子化カルテ出力部１０２ｅは、医者が患者本人と公開許可の交渉ができるよう、患者の個人情報（例えば、氏名や住所や連絡先など）を出力部１１４に出力してもよい（通常は、個人情報は非表示になっている）。
【０１２３】
（４）そして、医者等が紙カルテを必要とする場合は、医者等の操作（例えば、入力部１１２を介して分類コード等を入力）に基づいて、貸出状況確認部１０２ｆが電子化カルテデータベース１０６ｂに記憶された対応する電子化カルテの貸出コードを参照し、対応する紙カルテが貸出中でないこと（例えば、貸出開始日時コードと貸出終了日時コードの記載が両方ともあるか）を確認する。
【０１２４】
ここで、電子化カルテ管理装置１００は、図１１に示す紙カルテ利用規定管理テーブルを記憶部１０６に備えていてもよい。図１１に示すように、紙カルテ利用規定管理テーブルは、一例として、制御部１０２が利用者を特定するＩＤ等に基づいて閲覧・利用資格者であるか否かを判断するために用いられてもよい。本実施形態において、紙カルテは、この紙カルテ利用規定管理テーブル記憶された情報に従って管理（例えば、貸出資格や利用目的の確認、貸出期間の制限等）されてもよい。
【０１２５】
（５）そして、紙カルテ検索部１０２ｄは、貸出状況確認部１０２ｆの処理により紙カルテが貸出中でなく貸出可能であることが確認された場合、対応する紙カルテの保管場所コードを出力部１１４に出力する。その際、制御部１０２は、上述の紙カルテ利用規定管理テーブル（図１１参照）に記憶された紙カルテの利用規定に基づいて紙カルテの貸出手続を行ってもよい。これにより、医者等の利用者は、所望する紙カルテを保管庫から持ち出すことができる。なお、返却時には、医者等は入力部１１２を介して、貸出コードの貸出終了日時コードの記載を完了した上で、紙カルテをカルテ保管庫に返却するものとする。
【０１２６】
このように、本電子化カルテ管理装置１００を導入することにより、紙カルテの貸出履歴が電子的に残るので、紙カルテのトレーサビリティを確保することができる。
【０１２７】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１２８】
例えば、電子化カルテ管理装置１００がスタンドアローンの形態で処理を行う場合を一例に説明したが、電子化カルテ管理装置１００とは別筐体で構成されるクライアント端末からの要求に応じて処理を行い、その処理結果を当該クライアント端末に返却するように構成してもよい。
【０１２９】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１３０】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１３１】
また、電子化カルテ管理装置１００に関して、図示の各構成要素は機能概念的なものであり、必ずしも物理的に図示の如く構成されていることを要しない。
【０１３２】
例えば、電子化カルテ管理装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて電子化カルテ管理装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。
【０１３３】
また、このコンピュータプログラムは、電子化カルテ管理装置１００に対して任意のネットワークを介して接続されたアプリケーションプログラムサーバに記憶されていてもよく、必要に応じてその全部または一部をダウンロードすることも可能である。
【０１３４】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１３５】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１３６】
記憶部１０６に格納される各種のデータベース等（分類コードファイル１０６ａおよび電子化カルテデータベース１０６ｂ等）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０１３７】
また、電子化カルテ管理装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【０１３８】
更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【０１３９】
以上詳述に説明したように、本発明によれば、医療分野における利用者のデータ入力や更新や検索の効率性を向上できる電子化カルテ管理装置および電子化カルテ管理方法を提供することができるので、例えば、医療カルテ等の紙文書の電子化および電子化された紙文書の保管等の業務フローの効率化などを支援する情報機器や情報処理分野等の様々な分野において極めて有用である。
【図面の簡単な説明】
【０１４０】
【図１】本実施の形態における基本処理の一例を示すフローチャートである。
【図２】本発明が適用される本電子化カルテ管理装置１００の構成の一例を示すブロック図である。
【図３】本実施の形態におけるコード画像変換処理の一例を示すフローチャートである。
【図４】本実施の形態における電子署名・タイムスタンプ付加処理の一例を説明するフローチャートである。
【図５】本実施の形態における紙カルテ貸出管理処理の一例を示すフローチャートである。
【図６】本実施の形態におけるコピー管理処理の一例を示すフローチャートである。
【図７】本実施の形態における保管期限管理処理の一例を示すフローチャートである。
【図８】本実施例における紙カルテの表面の一例を示す図である。
【図９】本実施例における紙カルテの裏面の一例を示す図である。
【図１０】本実施例におけるカルテファイリング順番管理テーブルの一例を示す図である。
【図１１】本実施例における紙カルテ利用規定管理テーブルの一例を示す図である。
【符号の説明】
【０１４１】
１００  電子化カルテ管理装置
１０２  制御部
１０２ａ  紙カルテ読取部
１０２ｂ  電子化カルテ格納部
１０２ｃ  電子化カルテ挿入部
１０２ｄ  紙カルテ検索部
１０２ｅ  電子化カルテ出力部
１０２ｆ  貸出状況確認部
１０２ｇ  貸出状況出力部
１０２ｈ  コード画像情報変換部
１０２ｉ  カルテ画像情報印刷部
１０２ｊ  コピー許可部
１０２ｋ  コピー禁止部
１０２ｍ  保管期間判定部
１０２ｎ  削除不可通知出力部
１０２ｏ  電子化カルテ削除部
１０２ｐ  電子署名格納部
１０６  記憶部
１０６ａ  分類コードファイル
１０６ｂ  電子化カルテデータベース
１０８  入出力制御インターフェース部
１１２  入力部
１１４  出力部
１１６  印刷部
１１８  画像読取部
【図１】
2010061521.tif 000003
【図２】
2010061521.tif 000004
【図３】
2010061521.tif 000005
【図４】
2010061521.tif 000006
【図５】
2010061521.tif 000007
【図６】
2010061521.tif 000008
【図７】
2010061521.tif 000009
【図８】
2010061521.tif 000010
【図９】
2010061521.tif 000011
【図１０】
2010061521.tif 000012
【図１１】
2010061521.tif 000013